(57)【要約】【課題】安価で簡単な構成かつコンパクトな外付ビューファインダ並びに、この外付けビューファインダに対応したカメラの表示制御を提供すること。【解決手段】タッチパネルを装備した表示部（図１の７）と、表示部の表示面上に触れた物体の識別と位置または領域を検出する接触位置検出部（図１の９）とを備えたカメラにおいて、上記カメラは表示部の表示面上の任意な位置に光学部材（図１の８）の配置が可能であって、接触位置検出部が表示部上に光学部材が配置されたと識別した時には、表示部の表示サイズを接触位置検出部により検出した領域の情報をもとに変更することを特徴とする構成とした。【選択図】  図１
2015171116.tif 000002
【特許請求の範囲】
【請求項１】
タッチパネルを装備した表示部（７）と、
表示部の表示面上に触れた物体の識別と位置または領域を検出する接触位置検出部（９）と、
を備えたカメラにおいて、
上記カメラは表示部の表示面上の任意な位置に光学部材（８）の配置が可能であって、
接触位置検出部が表示部上に光学部材が配置されたと識別した時には、
表示部の表示サイズを接触位置検出部により検出した領域の情報をもとに変更する
ことを特徴とするカメラ。
【請求項２】
表示サイズ変更後に表示される情報は、表示部の全画面で表示されていた情報を縮小表示したものであることを特徴とする請求項１に記載のカメラ。
【請求項３】
光学部材の表示部との接触面のサイズは表示部の画面サイズより小さいことを特徴とする請求項１に記載のカメラ。
【請求項４】
上記接触位置検出部は、表示部に指が触れたか、光学部材が触れたかを識別することを特徴とする（Ｓ３０２）請求項１に記載のカメラ。
【請求項５】
光学部材が表示部上に配置されたときは、表示部にスルー画を表示することを特徴とする（Ｓ３０４〜３０６）請求項１に記載のカメラ。
【請求項６】
表示部上に配置されている光学部材が、表示部の表示面上から離脱した時は、表示部の表示サイズを全画面表示に変更することを特徴とする（Ｓ３０８）請求項１に記載のカメラ。
【発明の詳細な説明】
【技術分野】
【０００１】
本発明は、表示装置及び方法に関し、特にデジタルカメラの被写体を表示するための表示部における表示の制御に関するものである。
【背景技術】
【０００２】
近年では光学ビューファインダや電子ビューファインダ（以降まとめてビューファインダと記述する）を装備しないデジタルカメラがあり、このカメラにおいてはカメラ背面に備えられた表示部へスルー画を表示することで撮影者が被写体を確認することができる。
【０００３】
また上記表示部は表示部の画面上に触れた位置を検出することで、所定の操作を実行することのできるタッチパネルを採用したカメラ知られている。
【０００４】
ビューファインダの無いカメラでは表示部を見ながらの撮影となるため、撮影時は目から表示部の表示面を離す必要があり、撮影姿勢が腕を伸ばした状態となってしまう。ビューファインダを覗いて撮影した場合では、撮影姿勢が腕を縮めて脇を締めた状態となるため、これに比べると腕を伸ばした撮影姿勢ではカメラを充分固定できず、手ぶれしやすくなっていた。またカメラ縦位置時の撮影や肩のせアダプタを使った撮影においてもビューファインダを覗きこんで行う撮影に比べると操作性が低く、手ぶれしやすくなっていた。
【０００５】
上記の問題を嫌う撮影者のために、外付けの電子ビューファインダ（以降ＥＶＦ）をカメラに装着し、レンズを通り撮像素子で捉えた被写体の画像をこのＥＶＦに出力するようなオプションもある（特許文献）。
【０００６】
このようなオプションを使うことで、撮影者は電子ビューファインダを覗きこむためカメラを体に引き付け固定することができ、手ぶれが軽減される。
【先行技術文献】
【特許文献】
【０００７】
【特許文献１】特開2002-131805号公報
【発明の概要】
【発明が解決しようとする課題】
【０００８】
しかしながら、上述の特許文献にある外付けＥＶＦでは手ぶれ写真は軽減されるが、撮像素子とその駆動回路が装備されるので構成が複雑であり、また高価なものとなってしまう。また、構成が簡素化されより安価なものとして表示部全面を遮光・拡大しながら見ることのできるフード（例えば株式会社エツミ  ライブビューフード  Ｅ−６２７３）が知られている。しかしながらこのフードは表示部全体を覆うため外形が大きく表示部から接眼位置の距離も離れてしまうため、手持ち撮影では安定した撮影姿勢をとれず手ぶれしやすくなってしまう。
【０００９】
そこで、本発明の目的は、安価で簡単な構成かつコンパクトな手ぶれしにくい外付ビューファインダ並びに、この外付けビューファインダに対応したカメラの表示制御を提供することである。
【課題を解決するための手段】
【００１０】
上記目的を達成するために本発明は、タッチパネルを装備した表示部（図１の７）と、表示部の表示面上に触れた物体の識別と位置または領域を検出する接触位置検出部（図１の９）とを備えたカメラにおいて、上記カメラは表示部の表示面上の任意な位置に光学部材（図１の８）の配置が可能であって、接触位置検出部が表示部上に光学部材が配置されたと識別した時には、表示部の表示サイズを接触位置検出部により検出した領域の情報をもとに変更することを特徴とする。
【発明の効果】
【００１１】
本発明によれば、カメラ背面の表示部との接触面のサイズが表示部の画面サイズより小さい外付けビューファインダを上記表示部の表示面上に取付けた時は、カメラが表示部の表示サイズを上記ファインダのサイズと、取付け位置に応じて変更する。これによって、高価なＥＶＦや、外形の大きなフードを使うことなく、安価でかつコンパクトな外付けビューファインダを実現することで接眼位置がカメラにより近づき手ぶれしにくいカメラを提供することができる。
【図面の簡単な説明】
【００１２】
【図１】本実施例を説明するためのブロック構成図である。
【図２（ａ）】本実施例にかかる外付けビューファインダの取り付け例を説明した図である。
【図２（ｂ）】本実施例にかかる外付けビューファインダの取り付け例を説明した図である。
【図３】本実施例の動作を説明するためのフローチャートである。
【図４】光学式タッチパネルの動作を説明した図である。
【図５】外付けファインダ８を表示部７に取り付けた時の表示サイズ切りけを説明した図である。
【発明を実施するための形態】
【００１３】
［実施例１］
以下に、本発明の好ましい実施の形態を、添付の図面に基づいて詳細に説明する。図１は、本発明の実施形態にかかるカメラシステムの構成を説明したブロック図である。
【００１４】
図中、１はカメラ、２はカメラ１全体を制御するためのＣＰＵである。３は光学部材からなる撮影レンズであり、４のレンズ制御部で不図示の測光と測距のそれぞれの結果に応じて撮影レンズ３の絞りと焦点位置を制御する。５は撮影レンズ３を通した光情報を撮像するための撮像素子を含む撮像部、６は撮像部５からの画像情報を所定の画素補間処理や色変換処理する画像処理部である。
【００１５】
７は撮像部５、画像処理部６より得られた画像情報をスルー画や撮影後の確認画像として表示したりや、カメラの設定情報、記録媒体（不図示）に記録された画像を再生表示するための表示部である。また表示部７はタッチパネル機能を備えている。タッチパネルには光学式、抵抗膜式、静電容量式等の方式があるが、本実施例では光学式タッチパネルとして説明を行う。
【００１６】
８は外付けビューファインダである。本実施例では図２（ａ）のように外付けビューファインダ８はカメラ１のアクセサリシュー１１に取り付けられる。また外付けビューファインダ８は表示部７の表示面上に配置可能で、表示部７の表示画に対して左右方向の移動や、表示面上からの退避が可能となるよう可動式となっている。尚、本実施例では外付けビューファインダ８が左右方向の移動が可能としたが、この移動方向はこれに限らず、上下及び左右方向に移動可能な構造としても良いことは言うまでもない。
【００１７】
図２（ａ）は表示部７の表示面上に接触している場合の一例、図２（ｂ）は表示部７の表示面上から退避している場合の一例である。また図２（ａ）のように外付けビューファインダ８は表示部７との接触面のサイズが表示部７の画面サイズより小さいため、表示部７の表示面の一部の領域に配置される。また外付けビューファインダ８は表示部７の表示面に対して左右方向の移動が可能なため、表示部７の任意領域への配置が可能である。また外付けビューファインダ８は、表示部７の画面上に接触している時に表示面上の画像を拡大して見せるための光学レンズを内蔵している。
【００１８】
尚、本実施例においては、外付けビューファインダ８の表示部７との接触面のサイズは人の指先による接触面のサイズより充分大きいものとする。
【００１９】
９は接触位置検出部であり、表示部７の画面上に触れた物体の識別とその物体が接触している位置または領域を検出し、この検出結果をＣＰＵ２へ出力する。ＣＰＵ２はこの識別結果と接触位置に応じた動作指令を行う。
【００２０】
ここで光学式タッチパネルにおける接触位置検出部９の動作を簡単に説明する。図４は光学式タッチパネルの構成図である。
【００２１】
図中表示部７の枠外にある弾丸形状のものは投光素子、四角形状のものは受光素子であり、投光素子と受光素子は対向し投光素子からの光線が表示部７の画面の上面に格子状になるよう表示部７の横方向及び縦方向に並べられている。ＣＰＵ２は投光素子Ｐｈｎと受光素子Ｒｈｎ（ｎは１〜５の整数）、ＰｖｎとＲｖｎ（ｎは１〜８の整数）のペアで順次投受光動作を行う。指などの障害物が表示部７の表示面上にあると、その位置では投光素子からの光線が障害物により遮られるため、光線が遮られた箇所の受光出力は投光素子からの光線を遮られていない受光出力よりも低下する。この受光出力が低下した位置をもとに表示部７の画面上の座標に変換したものが表示部７に触れている場所となる。
【００２２】
接触位置検出部９ではこの受光素子が出力低下する領域により表示部７に触れたものが指か外付けビューファインダかを識別している。図４のように外付けビューファインダ８が表示部７の表示面と接触している時は、受光素子の出力低下している領域がＲｈ４、Ｒｈ５、Ｒｈ６、Ｒｖ１、Ｒｖ２、Ｒｖ３と広範囲である。
【００２３】
一方図示していないが、表示部７の表示面上に指が接触している時は、指先の接触面積が外付けビューファインダの表示部７の表示面との接触面のサイズより充分小さいので受光素子の出力低下している領域は外付けビューファインダの時に比べて充分少ない。表示部７の表示面上に外付けビューファインダ８が接触している時、接触位置検出部９は接触している物体が外付けビューファインダであることと、その接触している領域をＣＰＵ２へ出力する。ＣＰＵ２はこれを受けて表示部７の表示を全画面表示から接触領域内に収まるサイズの表示に変更する。ところで外付けビューファインダ８と表示部７の接触時に接触位置検出部９は、外付けビューファインダ８の最外周の接触部を検出している。
【００２４】
接触位置検出部９で検出した領域をそのまま使うと、表示部７へ表示された情報の一部が外付けビューファインダの外周の厚み部分に重なり、撮影者に外周の切れた情報を提供することになる。この時の表示部７への表示サイズは接触位置検出部９で検出した領域より所定量だけ小さいサイズで表示しなければならない。上記所定量は例えば外付けビューファインダ８の表示部７と接触する側の開口部のサイズとする。
【００２５】
この開口部サイズは例えば撮影者の手で入力され不図示の記憶手段に記憶される。この記憶された開口部サイズと接触位置検出部９で検出した領域をもとに表示領域を補正して、表示部７へ開口部サイズの画像を表示する。このようにすれば外付けビューファインダ８と表示部７の接触領域内に収まるサイズの表示が可能となる。
【００２６】
尚、外付けビューファインダ８取り付け時の表示部７への表示サイズ、位置の設定は上記の限りではない。例えばあらかじめ設定された表示サイズに対し、撮影者が不図示の操作部材で表示サイズが適切になるよう調整し、この調整された表示サイズを不図示の記憶手段に登録して以降この登録された情報で表示を行ってもよい。
【００２７】
次に本実施例の動作について図３のフローチャートを使って説明する。
【００２８】
尚、Ｓ３０１での表示部７は任意の情報が全画面表示されているものとする。まずＳ３０１では表示部７の表示面上に物体が触れたかどうかを検出している。表示部７の表示面上に物体が触れていない場合はＳ３０１でこの検出動作を繰り返す。表示部７の表示面上に物体が触れている場合は、Ｓ３０２で物体が指による操作か外付けビューファインダ８が配置されたかを接触位置検出部９でタッチパネルの投受光間を遮る領域により識別する。またこの時接触位置検出部９は表示部７の表示面上に触れている物体の識別結果と接触領域をＣＰＵ２へ出力する。上記識別結果が指である時はカメラ操作に伴う接触のため、Ｓ３０３でＣＰＵ２が触れた場所に応じた処理や表示部７への表示変更を行い、各処理終了後Ｓ３０１に戻り表示部７の画面上に物体が触れたかどうかを検出する。
【００２９】
上記識別結果が外付けビューファインダ８であるときは、Ｓ３０４で表示部７にスルー画が表示されているかどうかを判定する。スルー画の表示でない時は、Ｓ３０５でスルー画取得動作を起動する。外付けビューファインダが表示部７の表示面上に取付けられた時には撮影者は写真を撮影する意志があると判断しスルー画表示とした。ＣＰＵ２はレンズ３、レンズ制御部４、撮像部５、画像処理部６を制御しスルー画を取得する。Ｓ３０４又はＳ３０５でスルー画取得動作が起動後Ｓ３０６へ移行する。Ｓ３０６ではＣＰＵ２が表示部７の表示サイズを接触位置検出部９より取得した表示部７表示面上と外付けビューファインダ８との接触領域の情報をもとに変更し、スルー画を出力する。
【００３０】
この時のスルー画の表示は、表示部７が図５（ａ）のような全画面表示のスルー画状態から、外付けビューファインダ８が取り付くことで図５（ｂ）、（ｃ）のように外付けビューファインダ８と表示部７との接触領域内に収まるサイズのスルー画表示に変更する。
【００３１】
図３に戻り、Ｓ３０７では外付けビューファインダと表示部７との接触状態を判定しており、接触していればＳ３０６の動作を維持しながら接触状態の判定を行う。接触していなければ外付けビューファインダ８が表示部７から離れたことになるので、Ｓ３０８で表示部７を全画面サイズのスルー画表示に変更し、Ｓ３０１の状態に戻る。
【００３２】
以上、本発明の好ましい実施形態について説明した。本発明によれば、表示部７との接触面のサイズが表示部７の画面サイズより小さい外付けビューファインダ８を表示部７の表示面上に取付けた時は、表示部７の表示サイズを外付けビューファインダ８との接触領域内に収まるサイズに変更するようにした。
【００３３】
これによって、高価なＥＶＦや、外形の大きなフードを使うことなく、安価でかつコンパクトな外付けビューファインダを実現することで接眼位置がカメラにより近づき手ぶれ写真が軽減できる。
【００３４】
また肩のせアダプタを使った撮影のような至近距離で表示部７を見る場合でも、目の焦点にあった画像を確認することができる。
【００３５】
さらに外付けビューファインダ８は表示部７の表示面上の任意の位置に取付け可能なため、撮影者の利き目などに応じて最適な位置に配置できる
尚、本実施ではタッチパネル機能を備えた表示部７を光学式タッチパネルとして説明したが、抵抗膜式のマルチタッチパネルのように複数のポイントを検出できる構成であればこの限りではない。
【００３６】
また図２で説明した外付けビューファインダ８のカメラ１への取り付け方法もこの限りではなく、例えば外付けビューファインダ８の表示部７との接触面側を吸着素材にして表示部７の表示面に直接貼り付けるようにしてもよい。
【符号の説明】
【００３７】
２  ＣＰＵ  ７  表示部  ８  外付けビューファインダ  ９  接触位置検出部
【図１】
2015171116.tif 000003
【図２（ａ）】
2015171116.tif 000004
【図２（ｂ）】
2015171116.tif 000005
【図３】
2015171116.tif 000006
【図４】
2015171116.tif 000007
【図５】
2015171116.tif 000008